(57)【要約】【課題】輝度ムラを改善する。【解決手段】ランプクリップ２１は、管状をなす冷陰極管１５の周面を取り囲んだ状態で保持可能なランプ保持部２３と、冷陰極管１５を収容するケース１４に形成された取付孔３３に対して挿入されてその周縁に係止されることで、ケース１４に対して固定可能とされるケース固定部２５とを備え、これらランプ保持部２３及びケース固定部２５が本体部２２に連結された構成とされる。ランプクリップ２１をケース１４に取り付けると、取付孔３３が本体部２２により覆われる。ランプクリップ２１は、透光性を有する透光性樹脂材料と反射性を有する反射性樹脂材料とから二色成形され、ランプ保持部２３の全域が透光部Ｔとされ、本体部２２の全域が反射部Ｈとされる。【選択図】図６
2009048773.tif 000002
【特許請求の範囲】
【請求項１】
管状をなす光源の周面を取り囲んだ状態で保持可能な有端環状をなす光源保持部と、
前記光源を収容可能なケースに形成された取付孔に対して挿入されてその周縁に係止されることで、前記ケースに対して固定可能とされるケース固定部と、
前記光源保持部の少なくとも一部に形成されるとともに透光性を有する透光部と、
前記取付孔の少なくとも一部を覆うとともに反射性を有する反射部とから構成されている光源保持具。
【請求項２】
前記光源保持部は、その全域が前記透光部により構成されていることを特徴とする請求項１記載の光源保持具。
【請求項３】
前記光源保持部と前記ケース固定部とが連結されるとともに前記取付孔の全域を覆う本体部を備え、
この本体部は、その全域が前記反射部により構成されていることを特徴とする請求項１または請求項２記載の光源保持具。
【請求項４】
前記ケースとは前記光源を挟んだ反対側に配される光学部材を支持するための支持部を備え、
この支持部の少なくとも一部には、透光性を有する透光部が設けられていることを特徴とする請求項１ないし請求項３のいずれかに記載の光源保持具。
【請求項５】
前記透光部は、無色透明とされていることを特徴とする請求項１ないし請求項４のいずれかに記載の光源保持具。
【請求項６】
前記反射部は、白色または乳白色とされていることを特徴とする請求項１ないし請求項５のいずれかに記載の光源保持具。
【請求項７】
請求項１ないし請求項６に記載された光源保持具と、管状をなす光源と、前記光源保持具及び前記光源を収容可能なケースとを備えていることを特徴とする照明装置。
【請求項８】
請求項７に記載された照明装置と、表示パネルとを備えていることを特徴とする表示装置。
【発明の詳細な説明】
【技術分野】
【０００１】
本発明は、光源保持具、及びそれを用いた照明装置、及びそれを用いた表示装置に関する。
【背景技術】
【０００２】
例えば、液晶テレビなどの液晶表示装置に用いる液晶パネルは、自発光しないため、別途に外部光源としてバックライトを必要としている。このバックライトは、液晶パネルの裏側に設置されるようになっており、大まかには、金属製で液晶パネル側の面が開口したケースと、光源としてケース内に収容される多数本の冷陰極管と、ケースの開口部に配されて各冷陰極管が発する光を面状に変換して効率的に液晶パネル側へ照射させるための多数枚の光学部材（拡散シートなど）とを備えている。
【０００３】
近年、液晶表示装置の大型化が進行しており、それに伴って冷陰極管の管長も長大化している。このような管長が長大な冷陰極管では、両端に加えてその途中部分もケースに対して保持する必要があり、そのためにランプクリップが用いられている。ランプクリップは、ケース側に宛われる本体部と、本体部から表側へ突出するとともに冷陰極管の途中部分を抱き抱えるようにして保持可能な有端環状をなすランプ保持部と、本体部から裏側へ突出するとともにケースに形成された取付孔内に挿入されてその周縁に係止されるケース固定部とを備えている。
【０００４】
上記したようなランプクリップを用いると、冷陰極管の途中部分がランプ保持部により取り囲まれることになるため、その保持される部分については発光領域が部分的に減少することになり、輝度ムラが発生し易くなる、という問題があった。
【０００５】
そこで、上記した問題を解決すべく下記特許文献１に記載されたものが提案されている。すなわち、このものでは、ランプクリップ全体を透明な材料により構成しているので、冷陰極管の途中部分の周面を取り囲むランプ保持部により光が遮られることがなく、もって輝度ムラを解消できるようになっている。
【特許文献１】特開２００１−２１０１２６公報
【発明の開示】
【発明が解決しようとする課題】
【０００６】
しかしながら、上記したものにおいても未だ輝度ムラの改善の余地があった。すなわち、ケースには、ランプクリップを固定するための取付孔が貫通して形成されているため、ランプクリップ全体を透明にすると、冷陰極管から発せられた光が取付孔を通ってケースの裏側外部へ漏れ出してしまい、その部分が他と比べて暗くなるという問題があった。
【０００７】
本発明は上記のような事情に基づいて完成されたものであって、輝度ムラを改善することを目的とする。
【課題を解決するための手段】
【０００８】
本発明の光源保持具は、管状をなす光源の周面を取り囲んだ状態で保持可能な有端環状をなす光源保持部と、前記光源を収容可能なケースに形成された取付孔に対して挿入されてその周縁に係止されることで、前記ケースに対して固定可能とされるケース固定部と、前記光源保持部の少なくとも一部に形成されるとともに透光性を有する透光部と、前記取付孔の少なくとも一部を覆うとともに反射性を有する反射部とから構成されている。
【０００９】
このようにすると、ケース固定部が取付孔に挿入されてその周縁に係止されることで、ケースに対して固定される。ケースに収容された光源は、有端環状をなす光源保持部により周面が取り囲まれた状態で保持される。光源から発せられる光は、光源のうち光源保持部によって保持された部分においても、透光部を透過することで遮られることなく照射される。一方、ケースの取付孔については、反射部により覆われることで光源から発せられた光が取付孔を通して外部へ漏れ出すことなくケース内に反射される。
【００１０】
本発明の実施態様として、次の構成が好ましい。
（１）光源保持部の全域を透光部とする。これにより、光源のうち光源保持部により保持された部分において、発せられる光が全周にわたって遮られることなく照射される。
（２）光源保持部とケース固定部とが連結されるとともに取付孔の全域を覆う本体部の全域を反射部とする。これにより、取付孔からの光の漏れ出しを確実に防いで光をケース内へ反射させることができる。
（３）ケースとは光源を挟んだ反対側に配される光学部材を支持するための支持部の少なくとも一部に透光部を設けた構成とする。これにより、光源から発せられた光が、支持部に設けられた透光部により遮られることなく照射される。
（４）透光部を無色透明とする。これにより、透光性に優れる。
（５）反射部を白色または乳白色とする。これにより、反射性に優れる。
【発明の効果】
【００１１】
本発明によれば、光源から発せられる光は、光源保持部により保持された部分においても透光部を透過して遮られることなく照射されるとともに、反射部により取付孔から外部へ漏れ出すことなくケース内に反射されるから、輝度ムラを改善することができる。
【発明を実施するための最良の形態】
【００１２】
＜実施形態１＞
本発明の実施形態１を図１ないし図７によって説明する。この実施形態１では、液晶表示装置１０のバックライト１２に用いられるランプクリップ２１について例示する。なお以下では、図２に示す上側を表側、下側を裏側とし、左右方向については図２及び図３を基準とする。
【００１３】
まず、液晶表示装置１０の全体の概要を説明する。液晶表示装置１０は、大まかには、図１及び図２に示すように、横長形状（略矩形）をなす液晶パネル１１と、外部光源であるバックライト１２とを備え、これらが液晶表示装置１０の表示領域を取り囲む枠状に形成されたベゼル１３などにより一体的に保持されるようになっている。このうち、液晶パネル１１は、一対の透明な（透光性を有する）ガラス基板１１ａが所定のギャップを空けた状態で張り合わせられるとともに、両ガラス基板１１ａ間に電圧印加に伴って光学特性が変化する物質である液晶１１ｂが封入された構成とされる。一方のガラス基板１１ａには、互いに直交するソース配線とゲート配線とに接続されたスイッチング素子（例えばＴＦＴ）が、他方のガラス基板１１ａには、Ｒ，Ｇ，Ｂの画素電極がそれぞれマトリックス状に設けられている。また両ガラス基板１１ａの外面には、偏光板１１ｃがそれぞれ貼り付けられている。
【００１４】
次に、バックライト１２について説明する。バックライト１２は、大まかには、上面側（液晶パネル１１側）が開口した矩形の略箱型をなすケース１４内に光源（ランプ）である冷陰極管１５が収容されるとともに、ケース１４の開口部側に複数の光学部材１６が取り付けられた構成とされる。
【００１５】
ケース１４は、金属製とされるとともに、略矩形の平板状をなす底部１４ａの周縁における長辺部分から一対の側部１４ｂが立ち上がる構成とされる。両側部１４ｂは、底部１４ａに対して鈍角の傾斜角度をもって連結されており、ケース１４は開口部側に行くほど間口が拡がる形状となっている。各光学部材１６は、互いに積層された状態でケース１４の開口部に設けられた受け部１４ｃに載せられるとともに、その表側からケース１４に対して取り付けられるフレーム１７によって保持されるようになっている。フレーム１７は、金属製とされるとともに、液晶表示装置１０の表示領域を取り囲む枠状に形成されている。
【００１６】
各光学部材１６は、図２に示す下側（裏側）から拡散板、拡散シート、レンズシート、輝度上昇シートの順に積層され、ケース１４とフレーム１７との間に挟み込まれた状態で保持されるようになっている。各冷陰極管１５から発せられた光は、各光学部材１６を透過することで、面状に変換されるとともに効率的に液晶パネル１１へと照射されるようになっている。
【００１７】
ケース１４の内面側には、そのほぼ全域を覆うようにして反射シート１８が取り付けられている。反射シート１８は、合成樹脂製とされ、可撓性を有するとともに、表面が白色または乳白色になっていて光を反射できるようになっている（反射性を有している）。これにより、冷陰極管１５から発せられた光を、ケース１４の開口部側、つまり各光学部材１６や液晶パネル１１側へ導くことができるようになっている。
【００１８】
冷陰極管１５は、一方向に細長い管状をなしており、その長さ方向（軸線方向）をケース１４の長辺方向に一致させた状態で、且つ複数本（本実施形態では合計１８本）互いに平行に並んだ状態でケース１４内に収容されるようになっている。この冷陰極管１５は、放電管の一種であり、その構成及び発光原理は概ね次の通りである。冷陰極管１５は、内部に水銀を封入した細長い略円筒状のガラス管の両端に電極を備えた構成とされており、両電極間に瞬間的な高電圧が加えられることで電子が飛び出し、その電子が水銀原子に衝突すると、それに伴って水銀原子から紫外線が放出され、その紫外線がガラス管の内側に塗布された蛍光体によって可視光線に変換されることをもって発光するようになっている。この冷陰極管１５は、線状光源であり、軸線方向と直交する平面による断面における配光分布は、軸心から放射方向への光強度がほぼ均一になっている（図６参照）。なお冷陰極管１５の外径寸法は、例えば３，４ｍｍ程度とされるが、製造上の誤差により公差範囲内で増減する場合がある。
【００１９】
冷陰極管１５は、両端部がゴム製（例えばシリコンゴム製）のホルダ１９によって保持されるようになっており、ホルダ１９を装着した状態でケース１４に取り付けられる。ケース１４に取り付けられた各冷陰極管１５の両端部及び各ホルダ１９は、一対のランプホルダ２０によって一括して覆われるようになっている。ランプホルダ２０は、合成樹脂製とされるとともに、ケース１４における短辺方向に沿って延びる形態とされ、ケース１４の長辺方向の両端位置にそれぞれ取り付けられる。そして、冷陰極管１５のうち両端部を除いた途中の部分が、続いて詳細に説明するランプクリップ２１によって保持されるようになっている。また、ランプホルダ２０が光学部材１６に対する受け部１４ｃの一部を構成している。
【００２０】
ランプクリップ２１は、全体が合成樹脂製とされており、図４ないし図６に示すように、ケース１４や反射シート１８の底部１４ａ，１８ａに沿った平板状をなす本体部２２を備えている。本体部２２は、ケース１４の短辺方向に延びる細長い略矩形状に形成されており、その上面（表側の面、光学部材１６や冷陰極管１５との対向面）からランプ保持部２３及び支持部２４がそれぞれ表側へ突出して設けられるのに対し、下面（裏側の面、ケース１４や反射シート１８との対向面）からケース固定部２５が裏側へ突出して設けられている。
【００２１】
ケース１４におけるランプクリップ２１の配置について説明する。ランプクリップ２１は、図３に示すように、ケース１４における長辺方向の中央位置と両端位置との間の位置にそれぞれ６つずつ配設されており、各冷陰極管１５を長さ方向に異なる２位置で保持できるようになっている。ケース１４の短辺方向について隣り合う各ランプクリップ２１同士は、ケース１４の長辺方向について互いに異なる位置に配されており、いわゆるジグザグ（互い違い）に配置されている。また、ケース１４の長辺方向に隣り合う各ランプクリップ２１間の間隔（冷陰極管１５に対する保持位置間の間隔）は、ほぼ同じに設定されている。
【００２２】
続いて、ランプクリップ２１の詳しい構造を説明する。ランプ保持部２３は、図４に示すように、本体部２２の上面における長辺方向の両端位置付近とほぼ中央位置との３位置に配置されている。各ランプ保持部２３間の間隔は、ほぼ均等に設定されている。各ランプ保持部２３は、共に本体部２２の上面における短辺方向のほぼ中央位置に配置されている。また、各ランプ保持部２３における本体部２２の短辺方向の幅寸法は、本体部２２の短辺寸法の約１／３程度に設定されている。
【００２３】
ランプ保持部２３は、図６に示すように、全体として冷陰極管１５の周面を取り囲むことが可能で、且つ冷陰極管１５の着脱を許容すべく上方へ開口した有端環状に形成されている。詳しくは、ランプ保持部２３は、互いの根元部分が連結された一対のアーム部２６を備え、両アーム部２６が本体部２２の上面から立ち上がる連結部２７に連結された構成とされており、冷陰極管１５を本体部２２から所定高さ分持ち上げた位置にて保持できるようになっている。両アーム部２６は、根元部分が概ね水平方向に沿って外側（互いに逆側）へ突出した後、内向きに斜め上方（互いに接近する方向）へ向けて延出する片持ち状に形成され、互いに対称形状とされる。両アーム部２６は、先端部同士の間隔が冷陰極管１５における交差範囲の最小の外径寸法よりもさらに狭い間隔になっており、この隙間を通して冷陰極管１５の着脱が許容されるとともに、その着脱に伴って弾性的に開き変形（先端部間の間隔を拡げつつ弾性変形可能）とされている。
【００２４】
両アーム部２６の内周面（冷陰極管１５との対向面）には、それぞれ凹部２８が設けられている。凹部２８は、アーム部２６のうち撓み支点となる根元位置（連結部２７との連結位置）と、自由端である先端位置との間に配置されている。従って、アーム部２６の弾発力、言い換えるとアーム部２６を弾性的に開き変形させるのに必要な力は、仮に凹部２８を形成しなかった場合と比較して低減されており、つまりアーム部２６が撓み易くなっている。
【００２５】
凹部２８は、アーム部２６の全幅にわたって円弧状に形成され、周方向の中央部分ほど深くなるよう形成されている。アーム部２６における凹部２８が形成された部分の外周面（冷陰極管１５との対向面とは反対側の面）は、アーム部２６が凹部２８により凹まされた分だけ外側、すなわち冷陰極管１５から離間する方向へ膨出して形成され、これによりアーム部２６は、ほぼ全長にわたってほぼ均一な厚さになるよう形成されている。また、アーム部２６における根元位置から先端位置までの延面距離（アーム長）は、凹部２８を設けた部分が外側へ膨出する分だけ大きくなっている。
【００２６】
両アーム部２６の内周面のうち、各凹部２８に隣り合う部分、つまり両アーム部２６の先端部と根元部分とには、凹部２８よりも緩やかな円弧状をなす円弧面２９，３０が３つ、形成されている。先端側の両円弧面２９における略先端部と、根元側の円弧面３０における周方向略中央部とがそれぞれ冷陰極管１５に対して点接触可能とされ、これにより冷陰極管１５を三点支持できるようになっている。
【００２７】
支持部２４は、図４に示すように、本体部２２の上面のうち同図左端のランプ保持部２３と中央のランプ保持部２３とのほぼ中間位置（裏側のケース固定部２５と本体部２２の面方向について一部が重なる位置）に１つ、配置されている。支持部２４は、本体部２２の上面における短辺方向のほぼ中央位置に配置されている。また、支持部２４の根元部分における外径寸法は、本体部２２の短辺寸法の約１／３程度に設定されている。
【００２８】
支持部２４は、図６に示すように、先端が丸められた略錐状（先細り状）で且つ断面形状が円形に形成されており、その先端部によって光学部材１６のうち受け部１４ｃにて支持されない部分（外周縁部以外の部分）の下面を支持できるようになっている。支持部２４の高さ寸法は、ランプ保持部２３よりも大きく、例えば作業者はこの支持部２４を把持してケース１４に対する取り付け作業を行うことが可能とされる。
【００２９】
ケース固定部２５は、図５に示すように、本体部２２の下面のうち各ランプ保持部２３のほぼ中間位置に２つ、配置されている。各ケース固定部２５は、共に本体部２２の下面における短辺方向のほぼ中央位置に配置されている。また、各ケース固定部２５における本体部２２の短辺方向の幅寸法は、本体部２２の短辺寸法の約１／３程度に設定されている。
【００３０】
ケース固定部２５は、図６に示すように、本体部２２の下面から垂設された基部３１と、基部３１の先端部から斜め上方（基部３１から離間しつつ本体部２２側）へ向けて延出する一対の弾性係止片３２とから構成される。基部３１は、本体部２２の短辺方向に細長い底面視矩形状をなしている（図５）。両弾性係止片３２は、基部３１の先端部における長辺側の両側面に連結された片持ち状に形成され、その連結部分を支点として基部３１に対して切離する方向（図６に示す横方向であってケース１４に対する着脱方向と交差する方向）に沿って弾性変形可能とされる。弾性係止片３２の外周面のうち、基部３１の長辺方向に沿った外面は、次述する取付孔３３に沿うよう略円弧状に形成されている。
【００３１】
上記したケース固定部２５は、ケース１４に形成された取付孔３３内に挿入可能とされ、取付孔３３の周縁に対して係止されることで、ランプクリップ２１をケース１４に対して固定できるようになっている。取付孔３３は、図６及び図７に示すように、ケース１４の底部１４ａのうち各ランプクリップ２１の取付位置に対応する位置に複数配設されており、１つのランプクリップ２１あたり２つずつ設けられている。また反射シート１８の底部１８ａには、ケース１４の各取付孔３３に連通するとともにケース固定部２５を挿通可能な挿通孔３４がそれぞれケース１４の各取付孔３３に対応する位置に配設されている。
【００３２】
取付孔３３は、ケース１４を貫通して裏側外部に開口するとともに、平面視円形状に形成されており、その外径寸法は、ケース固定部２５における基部３１の長辺方向の長さ寸法や次述する両係止部３５の外周面３５ｂ間の距離とほぼ同じ大きさ、またはそれよりも大きくなるよう設定されている。また挿通孔３４は、反射シート１８を貫通するとともに、取付孔３３と同一形状で同一外径寸法を有しており、取付孔３３に整合されるようになっている。従って、ランプクリップ２１を取り付けた状態では本体部２２によって取付孔３３及び挿通孔３４が全域にわたって覆われ、塞がれるようになっている（図７）。
【００３３】
ケース固定部２５のうち両弾性係止片３２は、図６に示すように、基部３１の先端から上下方向に対して斜め方向に沿って延びた後、先端部が上下方向に沿って真っ直ぐに延びる形状とされる。そして、両弾性係止片３２の先端部には、取付孔３３における周縁の裏面に対して係止可能な係止部３５が形成されている。係止部３５は、弾性係止片３２の先端部のうち基部３１の長辺方向に沿った外縁を段付き状に切り欠くことで形成されており、取付孔３３の周縁の下面（裏面）に対する係止面３５ａがケース１４の下面とほぼ平行な（ほぼ水平な）面として形成されている。また、係止部３５における取付孔３３の内周面との対向する外周面３５ｂは、取付孔３３に沿って円弧状で上下に真っ直ぐに形成される。取付状態では、係止部３５の外周面３５ｂが取付孔３３の内周面に対して当接する、または近接した位置に配され、両面間に殆ど隙間が形成されることはない。
【００３４】
係止部３５の係止面３５ａと本体部２２の下面（ケース１４や反射シート１８との対向面）とは、互いに離間した状態で対向して配されており、両面間の距離は、ランプクリップ２１の製造上の誤差を考慮して、ケース１４側の厚み寸法（ケース１４の板厚寸法に反射シート１８の厚み寸法を足した寸法）よりも少し大きくなるよう設定されている。詳しくは、両面間の距離は、ランプクリップ２１の製造上の誤差により公差範囲内で増減するという事情があるが、上記のような設定とすることで、両面間の距離が公差範囲の最小値だった場合でも、ケース１４側の厚み寸法と同じ程度となってケース１４への取り付けが許容されるようになっている。
【００３５】
また、本体部２２の下面には、ケース１４に対して取り付けられたときにケース１４の上面に対して当接可能な当接部３６，３７が下方へ突出して設けられている。当接部３６，３７は、図５及び図６に示すように、本体部２２における長辺方向の中央位置と、両端位置付近との３位置に配されている。各当接部３６，３７は、断面形状が弓形（当接面が円弧状）に形成されている。各当接部３６，３７の突出寸法は、ほぼ同じに設定されており、その値は、係止部３５の係止面３５ａと本体部２２の下面との間の距離の公差範囲の最大値から、ケース１４側の厚み寸法（ケース１４の板厚寸法に反射シート１８の厚み寸法を足した寸法）を差し引いた値、つまり取付板とケース１４側との間に生じるクリアランスの最大値よりも僅かに大きくなるように設定されている。
【００３６】
中央の当接部３６は、本体部２２における短辺方向のほぼ中央位置に配され、ケース１４に対して点接触可能な球冠状に形成されている。この当接部３６は、両ケース固定部２５のほぼ中間位置に配されている。両端の当接部３７は、本体部２２の短辺方向に延びる蒲鉾型に形成されており、ケース１４に対して線接触可能とされる。両当接部３７は、両端のランプ保持部２３よりもさらに端寄りの位置に配されている。各当接部３６，３７は、本体部２２の下面において対称位置に配されるとともに対称形状に形成されている。
【００３７】
また、本体部２２の下面のうち、図５に示す左端の当接部３７における長さ方向略中央位置（ケース固定部２５と本体部２２の短辺方向について同じ位置）には、ケース１４に貫通して設けられた位置決め孔３９に対して嵌合可能な位置決め突部３８が設けられている。ランプクリップ２１をケース１４に取り付ける際に、ランプクリップ２１が正規の向きだった場合にのみ位置決め突部３８が位置決め孔３９に対して嵌合され、正規の向きとは逆向きだった場合には、位置決め突部３８が位置決め孔３９に対して不整合となって取り付けが規制されるようになっている。位置決め孔３９は、取付孔３３とケース１４の短辺方向についてほぼ同一直線上に配置されており、その外径寸法が取付孔３３よりも小さく設定されている。また反射シート１８の底部１８ａには、ケース１４の位置決め孔３９に連通するとともに位置決め突部３８を挿通可能な位置決め用挿通孔４０がそれぞれ位置決め孔３９に対応する位置に配設されている。位置決め用挿通孔４０は、反射シート１８を貫通するとともに、位置決め孔３９と同一形状で同一外径寸法を有しており、位置決め孔３９に整合されるようになっている。従って、取り付け状態において位置決め孔３９及び位置決め用挿通孔４０は、本体部２２によって全域にわたって覆われ、塞がれるようになっている（図７）。
【００３８】
さて、上記したランプクリップ２１は、二種類の色の樹脂材料から構成されている。詳しくは、ランプクリップ２１を構成する樹脂材料は、無色透明で透光性を有し光の反射性を殆ど有さない透光性樹脂材料（例えば、無色透明なポリカーボネートやアクリル）と、少なくとも表面が白色で反射性を有し透光性を殆ど有さない反射性樹脂材料（例えば、白色のポリカーボネートやアクリル）との２種類であり、これらの樹脂材料を二色成形することでランプクリップ２１が製造されるようになっている。このうち、透光性樹脂材料は、光の透過率がほぼ１００％となっている。また、反射性樹脂材料は、光の反射率がほぼ１００％となっており、反射シート１８と同等の反射性を有している。なお、透光性樹脂材料と反射性樹脂材料は、色が異なっていれば同一素材（例えば、両者共にポリカーボネート）でも異素材（例えば、ポリカーボネートとアクリル）でも構わない。
【００３９】
ランプクリップ２１のうち、各ランプ保持部２３及び支持部２４の全域が透光性樹脂材料により構成される透光部Ｔとされ、本体部２２、各ケース固定部２５、各当接部３６，３７、及び位置決め突部３８の全域が反射性樹脂材料により構成される反射部Ｈとされている。言い換えると、ランプクリップ２１のうち、本体部２２の上面から上方（冷陰極管１５側、光学部材１６側、液晶パネル１１側）へ突出する部分が全て透光部Ｔとされ、それ以外が反射部Ｈとされている。このことは、ランプクリップ２１のうち、ケース１４内の空間において冷陰極管１５から発せられる光が光学部材１６や液晶パネル１１へ向かうのを妨げ得る部分が全て透光部Ｔとされ、反射シート１８やケース１４の各孔を覆う部分が全て反射部Ｈとされていることを意味する。なお、ランプクリップ２１の製造にあたっては、一次成形で反射部Ｈを成形し、その反射部Ｈを中子として透光部Ｔを二次成形するようにすればよい。また逆に透光部Ｔを一次成形してから反射部Ｈを二次成形するようにしてもよい。
【００４０】
本実施形態は以上のような構造であり、続いてその作用を説明する。先にバックライト１２の組み付け作業について説明する。ケース１４内に反射シート１８を取り付けた状態で各ランプクリップ２１をケース１４に対して取り付ける作業を行う。支持部２４を把持するとともに、各ケース固定部２５を対応する各挿通孔３４及び各取付孔３３に、位置決め突部３８を位置決め用挿通孔４０及び位置決め孔３９に整合させつつ、本体部２２を反射シート１８の上面に押し付けるようにする。すると、弾性係止片３２が取付孔３３の表側の周縁に係合されることで、一旦基部３１側に接近するよう弾性変形される。また、各当接部３６，３７が反射シート１８の上面に当接される。
【００４１】
ランプクリップ２１が正規深さまで押し込まれると、図６に示すように、弾性係止片３２が復元して係止部３５の係止面３５ａが取付孔３３の周縁の下面に対して係止される。このとき、本体部２２のうち各当接部３６，３７を設けた部分が反射シート１８から僅かに浮いた状態に保たれるのに対し、ケース固定部２５を設けた部分が反射シート１８側へ接近するよう反るようにして弾性変形されているので、係止部３５の係止面３５ａが取付孔３３の周縁の下面に対して密接した状態で弾性的に保たれる。これにより、製造上の誤差によりランプクリップ２１の各寸法に多少のばらつきが生じたとしても、ケース１４に対してランプクリップ２１ががたつきなく固定されるようになっている。
【００４２】
ランプクリップ２１の取り付けが完了した後、ケース１４内に各冷陰極管１５を収容し取り付ける作業を行う。冷陰極管１５は、図１に示すように、その両端部にホルダ１９が装着されることで、２本で１組にまとめられた状態でランプクリップ２１により保持されるようになっている。
【００４３】
冷陰極管１５をランプ保持部２３における開口部分（両アーム部２６の先端部間の隙間）に押し込むと、両アーム部２６が根元部分を支点として弾性的に一旦開き変形される。このとき、両アーム部２６に凹部２８が形成されているので、冷陰極管１５の押し込みに必要な操作力が小さくて済み、作業性に優れる。冷陰極管１５が正規深さまで押し込まれると、図６に示すように、両アーム部２６が所定位置まで弾性的に戻るとともに、各円弧面２９，３０が冷陰極管１５の周面に点接触されることで、冷陰極管１５は三点支持される。
【００４４】
図３に示すように、各冷陰極管１５の取り付けが完了したら、ランプホルダ２０を取り付けるとともに、光学部材１６、フレーム１７の順でケース１４に組み付けることで、バックライト１２が形成される。その後、フレーム１７の受け部に液晶パネル１１を載せてから、ベゼル１３により一体的に組み付けることで、図２に示すように、液晶表示装置１０が形成される。
【００４５】
液晶表示装置１０に画像を表示させるには、各冷陰極管１５を点灯させるとともに、液晶パネル１１に対して図示しない駆動回路から電気信号を付与する。すると、各冷陰極管１５から発せられた光が各光学部材１６を通ってほぼ面状に変換された後、液晶パネル１１を透過する過程で、上記電気信号により光学特性が変化させられた液晶１１ｂにより偏光状態が変化されることをもって、液晶パネル１１の表示領域において所定の画像が表示されるようになっている。
【００４６】
ここで、バックライト１２内において各冷陰極管１５から発せられた光は、次のようにして光学部材１６側へ導かれるようになっている。すなわち、各冷陰極管１５は、図６及び図７に示すように、その周面がランプクリップ２１のランプ保持部２３により取り囲まれているものの、このランプ保持部２３が無色透明な透光部Ｔにより構成されているので、冷陰極管１５から発せられた光は遮られることなく、透光部Ｔであるランプ保持部２３を透過して放射方向へほぼ均一に照射されるようになっている。このとき、ランプ保持部２３に隣り合って配されるとともに光学部材１６に当接・支持している支持部２４についても、同様に無色透明な透光部Ｔにより構成されているので、照射された光が遮られることなく、透光部Ｔである支持部２４を透過して光学部材１６側へと導かれる。
【００４７】
冷陰極管１５から放射方向へ発せられた光は、直接光学部材１６に到達するもの以外は、反射シート１８などにより反射されてから光学部材１６に到達するようになっている。ここで、反射シート１８には、ケース１４の取付孔３３や位置決め孔３９に整合する挿通孔３４や位置決め用挿通孔４０が形成されているものの、各孔の全域を覆う本体部２２が白色の反射部Ｈにより構成されているので、冷陰極管１５から発せられた光は各孔からケース１４の裏側外部へと漏れ出すことなく、反射部Ｈである本体部２２によりケース１４内に反射されて光学部材１６へと導かれる。以上により、各ランプ保持部２３や各取付孔３３の周りが部分的に暗く見えるような事態を解消することができ、もってバックライト１２全体の輝度ムラを改善できるとともに、液晶表示装置１０の表示品質の向上に寄与することができる。
【００４８】
以上説明したように本実施形態によれば、冷陰極管１５を保持するランプ保持部２３を透光部Ｔとし、取付孔３３を覆う本体部２２を反射部Ｈとしたから、冷陰極管１５から発せられる光が透光部Ｔであるランプ保持部２３を透過して遮られることなく照射されるとともに、反射部Ｈにより取付孔３３から外部へ漏れ出すことなくケース１４内に反射され、もって輝度ムラを改善することができる。
【００４９】
また、輝度ムラを解消するには、液晶パネル１１と各冷陰極管１５との間の距離を大きくしたり、光学部材１６の数や種類を増やすことが考えられるが、本実施形態によればその必要がない。逆に言うと、本実施形態によれば、液晶パネル１１と各冷陰極管１５との間の距離を縮めることができてバックライト１２や液晶表示装置１０の薄型化（小型化）を図ることができるとともに、光学部材１６の数や種類を削減して低コスト化を図ることができる。
【００５０】
しかも、ランプ保持部２３の全域が透光部Ｔにより構成されているので、冷陰極管１５のうちランプ保持部２３により保持された部分において、発せられた光が全周にわたって遮られることなく照射される。これにより、一層の輝度ムラの改善を図ることができる。
【００５１】
さらには、ランプ保持部２３やケース固定部２５が連結されるとともに取付孔３３からの光の漏れ出しを確実に防いで光をケース１４内に反射させることができる。これにより、一層の輝度ムラの改善を図ることができる。
【００５２】
その上、ケース１４とは冷陰極管１５を挟んだ反対側に配される光学部材１６を支持するための支持部２４が透光部Ｔにより構成されているから、光源から発せられた光が支持部２４を透過して遮られることなく照射される。これにより、輝度ムラの改善を図ることができる。
【００５３】
また、透光部Ｔが無色透明とされているから、例えば有色で透明のものと比較すると、透光性に優れ、輝度ムラの改善に有効となる。また、反射部Ｈが白色とされているので、例えば黒色のものと比較すると、反射性に優れ、輝度ムラの改善に有効となる。
【００５４】
＜実施形態２＞
本発明の実施形態２を図８によって説明する。この実施形態２では、ランプ保持部２３Ａの一部を透光部Ｔとし、他の部分を反射部Ｈとしたものを示す。なおこの実施形態２では、上記した実施形態１と同様の構造、作用及び効果について重複する説明は省略する。
【００５５】
ランプ保持部２３Ａのうち連結部２７Ａは、図８に示すように、本体部２２Ａなどと同じく反射性樹脂材料により形成され、反射部Ｈとされる。一方、ランプ保持部２３Ａのうち両アーム部２６Ａについては、その全域が透光性樹脂材料により形成され、透光部Ｔとされる。ランプ保持部２３Ａのうち、冷陰極管１５に対して直接接触されるとともにその周りを取り囲む両アーム部２６Ａの全域が透光部Ｔとなっているので、実施形態１と同等の輝度ムラ改善を図ることができる。
【００５６】
＜実施形態３＞
本発明の実施形態３を図９によって説明する。この実施形態３では、ランプ保持部２３Ｂのアーム部２６Ｂのうち一部が透光部Ｔ、他の部分が反射部Ｈとされたものを示す。なおこの実施形態３では、上記した実施形態１と同様の構造、作用及び効果について重複する説明は省略する。
【００５７】
ランプ保持部２３Ｂのうち、連結部２７Ｂと両アーム部２６Ｂのうち連結部２７Ｂに連結された根元部分の所定領域２６Ｂａは、図９に示すように、本体部２２Ｂなどと同じく反射性樹脂材料により構成され、反射部Ｈとされており、両アーム部２６Ｂの残りの領域２６Ｂｂが透光性樹脂材料により構成され、透光部Ｔとされる。詳しくは、アーム部２６Ｂのうち、根元位置から凹部２８Ｂが形成された部分のほぼ中央位置までが反射部Ｈとされ、そこから先端位置までが透光部Ｔとなっている。透光部Ｔと反射部Ｈとの境界面Ｋは、冷陰極管１５から発せられる光の放射方向に概ね沿って傾斜しており、内端側に対して外端側が下がった面となっている。従って、反射部Ｈによって冷陰極管１５からの光が妨げられ難くなっている。
【００５８】
＜変形例＞
上記した実施形態３の変形例を図１０によって説明する。この変形例では、アーム部２６Ｂ´における透光部Ｔと反射部Ｈとの境界位置を変更したものを示す。
【００５９】
アーム部２６Ｂ´における透光部Ｔと反射部Ｈとの境界位置は、図１０に示すように、両アーム部２６Ｂ´のうち、凹部２８Ｂ´と先端側の円弧面２９Ｂ´との境界位置に設定されており、この境界位置から先端側が透光部Ｔ、根元側が反射部Ｈとなっている。透光部Ｔと反射部Ｈとの境界面Ｋは、内端側に対して外端側が上がった面となっている。
【００６０】
アーム部２６Ｂ´のうち、冷陰極管１５の着脱時に弾性を発揮する主な部分は、凹部２８Ｂ´が設けられた部分であり、アーム部２６Ｂ´の弾性に関して凹部２８Ｂ´よりも先端寄りの部分の影響は軽微なものとなっている。従って、本変形例のように境界位置を設定すれば、反射性樹脂材料として弾性が得にくい材料を用いたときに有用である。
【００６１】
なお、透光部Ｔと反射部Ｈとの境界面Ｋは、水平でもよく、また傾斜角度についても任意に変更可能である。
【００６２】
＜実施形態４＞
本発明の実施形態４を図１１によって説明する。この実施形態４では、ランプ保持部２３Ｃの両アーム部２６Ｃのうち、一方のアーム部２６Ｃを透光部Ｔとし、他方のアーム部２６Ｃを反射部Ｈとしたものを示す。なおこの実施形態４では、上記した実施形態１と同様の構造、作用及び効果について重複する説明は省略する。
【００６３】
図１１に示すように、ランプ保持部２３Ｃのうち、図示左側のアーム部２６Ｃの全域が透光性樹脂材料により形成されて透光部Ｔとされ、図示右側のアーム部２６Ｃの全域が本体部２２Ｃと同じく反射性樹脂材料により形成されて反射部Ｈとされる。なお、図１１とは逆に右側のアーム部２６Ｃを反射部Ｈ、左側のアーム部２６Ｃを透光部Ｔとしても構わない。
【００６４】
＜他の実施形態＞
本発明は上記記述及び図面によって説明した実施形態に限定されるものではなく、例えば次のような実施形態も本発明の技術的範囲に含まれる。
【００６５】
（１）上記した各実施形態では、透光部を無色透明とし、光の透過率をほぼ１００％とした場合を例示したが、それ以外にも例えば透光部を無色の半透明や有色の半透明としてもよく、その場合の光の透過率を１００％より小さく、０％より高い数値の範囲で任意に設定することができる。
【００６６】
（２）上記した各実施形態では、反射部を白色とした場合を例示したが、例えば乳白色にすることもでき、それ以外にも要は光の反射性を有するのであれば、白や乳白色以外の不透明な色に適宜に変更することができる。また、反射部は必ずしも不透明である必要はなく、光の反射性を有するのであれば、半透明であっても構わない。
【００６７】
（３）上記した各実施形態では、透光部と反射部とを有するランプクリップが二色成形により製造される場合を例示したが、例えば透光部と反射部とをそれぞれ別途に樹脂成形し、それらを接着剤により接着して一体化してもよく、また透光部と反射部とを凹凸嵌合させるなどして互いに機械的な組み付けにより一体化してもよい。また、例えばランプクリップの全域を透光性樹脂材料により無色透明に形成し、本体部の表面を白色に着色して反射部を形成するようにしても構わない。
【００６８】
（４）上記した各実施形態では、本体部の全域を反射部とした場合を示したが、取付孔（挿通孔）を覆う部分のみを反射部とし、残りの部分を透光部としてもよい。その場合、取付孔（挿通孔）を覆う部分の一部分のみを反射部とし、残りを透光部としてもよい。さらには、本体部の全域を透光部とし、取付孔に挿入されるケース固定部の全域または一部を反射部としてもよい。
【００６９】
（５）上記した各実施形態では、支持部の全域を透光部とした場合を示したが、一部を透光部とし、他の部分を反射部としてもよい。具体的には、支持部における先端側の所定高さ分を透光部とし、根元側の所定高さ分を反射部としてもよく、またその逆としてもよい。
【００７０】
（６）上記した実施形態３及びその変形例以外にも、ランプ保持部における透光部と反射部との境界位置について任意に変更可能である。
【００７１】
（７）ランプ保持部やケース固定部の形状については任意に変更可能である。例えば凹部を有さない形状のランプ保持部を備えるものや、弾性係止片を有さない形状のケース固定部を備えるものにも本発明は適用可能である。また、本体部の形状についても正方形や円形など任意に変更可能であり、その場合取付孔の一部のみを覆う形状であっても構わない。
【００７２】
（８）また、支持部や当接部や位置決め突部を有さないランプクリップにも本発明は適用可能である。
【００７３】
（９）１つのランプクリップあたりのランプ保持部や支持部やケース固定部などの数については任意に変更可能である。また、１つのバックライトあたりのランプクリップや冷陰極管の数についても任意に変更可能である。
【００７４】
（１０）上記した実施形態では、ケースの底部における長辺側のみから側部が設けられた場合を例示したが、短辺側からも側部が設けられるものも本発明に含まれる。またケースのうち光学部材を受ける受け部について、ケースとは別体に形成してそれをケースに対して組み付けるようにしたものも本発明に含まれる。
【００７５】
（１１）上記した実施形態では、金属製のケースを用いた場合を例示したが、樹脂製のケースを用いるようにしてもよい。その場合、ケースのうち少なくとも内周面を構成する部分について、反射シートと同等の反射性を有する色または材料とし、ケースと反射シートを一体化すれば、別部材としての反射シートを省略することができる。なお、ケースの内周面にのみ反射シートと同等の反射性を持たせるには、例えば樹脂成形したケースの内周面に良好な反射性を有する塗料などを塗布したり、またケースを二色成形すればよい。
【００７６】
（１２）また、ＴＦＴ以外のスイッチング素子を用いた液晶表示装置にも本発明は適用可能である。またカラー表示する液晶表示装置以外にも、白黒表示する液晶表示装置にも本発明は適用可能である。
【００７７】
（１３）また、液晶表示装置以外にも、液晶以外でバックライトを用いる他の種類の表示装置にも本発明は適用可能である。
【図面の簡単な説明】
【００７８】
【図１】本発明の実施形態１に係る液晶表示装置の概略を表す分解斜視図
【図２】液晶表示装置の側断面図
【図３】ケースに反射シート、ランプクリップ及び冷陰極管を収容した状態を表す平面図
【図４】ランプクリップの平面図
【図５】ランプクリップの底面図
【図６】液晶表示装置の拡大側断面図
【図７】バックライトの拡大平断面図
【図８】本発明の実施形態２に係るランプクリップの拡大側断面図
【図９】本発明の実施形態３に係るランプクリップの拡大側断面図
【図１０】本発明の実施形態３の変形例に係るランプクリップの拡大側断面図
【図１１】本発明の実施形態４に係るランプクリップの拡大側断面図
【符号の説明】
【００７９】
１０…液晶表示装置（表示装置）
１２…バックライト（照明装置）
１４…ケース
１５…冷陰極管（光源）
１６…光学部材
２１…ランプクリップ（光源保持具）
２２…本体部
２３…ランプ保持部（光源保持部）
２４…支持部
２５…ケース固定部
３３…取付孔
Ｈ…反射部
Ｔ…透光部
【図１】
2009048773.tif 000003
【図２】
2009048773.tif 000004
【図３】
2009048773.tif 000005
【図４】
2009048773.tif 000006
【図５】
2009048773.tif 000007
【図６】
2009048773.tif 000008
【図７】
2009048773.tif 000009
【図８】
2009048773.tif 000010
【図９】
2009048773.tif 000011
【図１０】
2009048773.tif 000012
【図１１】
2009048773.tif 000013